(57)【要約】【課題】複数本の缶を店頭で迅速に包装でき、持ち運び時には缶が飛び出さない紙製マルチパックを提供する。【解決手段】底板１の両側に側板２及び上板３を順次連設し、底板１及び側板２の端縁から保持板６及び折込板７をそれぞれ延出して、保持板６と折込板７の境界をなす隅折線８を側板２の端縁から４５°より大きい角度で傾斜させ、保持板６の端部に底板１の角から沿折線９を入れたブランクから構成し、保持板６及び折込板７を内側へ折り曲げて、折込板７を側板２に貼り付けておき、底板１に缶Ｃを載せて側板２及び上板３を巻き込むように折り曲げつつ、保持板６を起立させ、上板３同士を係合させて缶Ｃを包装する。保持板６の両端部が缶Ｃの外周に沿うように折れ曲がり、缶Ｃが締め付けられるように抱持される。【選択図】  図４
2004149183.tif 000002
【特許請求の範囲】
【請求項１】
底板１の両側に側板２及び上板３を順次連設し、底板１及び側板２の端縁から保持板６及び折込板７をそれぞれ延出して、保持板６と折込板７の境界をなす隅折線８を側板２の端縁から４５°より大きい角度で傾斜させ、保持板６の端部に底板１の角から沿折線９を入れたブランクから成り、保持板６及び折込板７を内側へ折り曲げて、折込板７を側板２に貼り付けておき、底板１に円筒容器を載せて側板２及び上板３を巻き込むように折り曲げつつ、保持板６を起立させ、上板３同士を係合させて円筒容器を包装する紙製マルチパック。
【請求項２】
前記隅折線８から折込板７を弧状に切り込んで、保持板６の両端から突出する戻止片１０を形成し、この戻止片１０が起立途中の両側板２に当接するようにしたことを特徴とする請求項１に記載の紙製マルチパック。
【請求項３】
前記一方の上板３に２個の指穴１１を形成し、他方の上板３に指穴１１より幅の大きい２個の押込片１２を設け、この押込片１２を屈曲させつつ指穴１１に押し込んで、上板３同士を係合させることを特徴とする請求項１又は２に記載の紙製マルチパック。
【発明の詳細な説明】
【０００１】
【発明の属する技術分野】
この発明は、飲料缶等の円筒容器を複数本まとめて包装する紙製マルチパックに関するものである。
【０００２】
【従来の技術】
一般に、缶ビールの包装には、図６に示すようなマルチパックが使用されている。このマルチパックは、耐水性の板紙から成り、上板５０の両側に側板５１及び底板５２を順次連設して複数本の缶Ｃを包み込み、底板５２同士を係合させ、側板５１の端縁から延出した折込片５３を折り込み、その上下端から上板５０及び底板５２に繋がる抱持片５４を缶Ｃの外周に沿わせて缶Ｃを抜け止めし、上板５０に設けた２個の押込片５５を指で押し込むことにより、掴んで持ち運べるようにしたものである。
【０００３】
【発明が解決しようとする課題】
ところで、量販店で販売される缶ビールは、上記のようなマルチパックで包装されて段ボール箱に詰められ、販売店では、段ボール箱を開けてマルチパックを取り出すだけで、マルチパックごとに販売できるように二重包装されているが、このような包装は過剰包装であるとの批判が強い。
【０００４】
このため、缶を箱詰めする際にはマルチパックでの包装をやめ、店頭で販売する際に複数本の缶をまとめて包装する方法が検討されているが、従来のマルチパックは、手作業で組み立てることが難しいという問題がある。
【０００５】
そこで、この発明は、複数本の缶を店頭で迅速に包装でき、持ち運び時には缶が飛び出さない紙製マルチパックを提供することを課題とする。
【０００６】
【課題を解決するための手段】
上記課題を解決するため、この発明に係るマルチパックは、底板の両側に側板及び上板を順次連設し、底板及び側板の端縁から保持板及び折込板をそれぞれ延出して、保持板と折込板の境界をなす隅折線を側板の端縁から４５°より大きい角度で傾斜させ、保持板の端部に底板の角から沿折線を入れたブランクから構成し、保持板及び折込板を内側へ折り曲げて、折込板を側板に貼り付けておき、底板に円筒容器を載せて側板及び上板を巻き込むように折り曲げつつ、保持板を起立させ、上板同士を係合させて円筒容器を包装することとしたのである。
【０００７】
このようなマルチパックでは、扁平な状態から簡単に組み立てて缶等の円筒容器を包装することができ、包装状態では、保持板が円筒容器をその外周に沿って締め付けるように抱持するので、持ち運び時に円筒容器が端面の開口部から飛び出すことがない。
【０００８】
また、前記隅折線から折込板を弧状に切り込んで、保持板の両端から突出する戻止片を形成し、この戻止片が起立途中の両側板に当接するようにしておくと、底板に円筒容器を載せる際、両側板及び保持板をやや起立した状態に保持しておくことができるので、包装時の作業性が向上する。
【０００９】
前記一方の上板に２個の指穴を形成し、他方の上板に指穴より幅の大きい２個の押込片を設け、この押込片を屈曲させつつ指穴に押し込むと、上板同士が強固に係合するので、不意に包装が解ける現象が防止される。
【００１０】
【発明の実施の形態】
以下、この発明の実施の形態を添付図面に基づいて説明する。
【００１１】
このマルチパックの板紙から成るブランクでは、図１に示すように、底板１の両側に側板２及び上板３が順次連設され、一方の上板３の先端縁には重合板４が連設されている。各側板２には、缶を巻き込んだとき、缶の外周上下の絞り部分に沿うように、２本の沿折線５が設けられている。
【００１２】
底板１の端縁には保持板６が、側板２の底板１寄り部分の端縁には保持板６に繋がる折込板７がそれぞれ連設され、保持板６と折込板７の境界をなす隅折線８は、図２に示すように、側板の端縁から４５°より大きい角度で傾斜している。
【００１３】
また、保持板６の端部には、底板１の角部に形成された逃穴を起点として、内側へ順次大きな角度で傾斜した２本の沿折線９が入れられ、隅折線８から折込板７を弧状に切り込むことにより、保持板６の両端から突出する戻止片１０が形成されている。
【００１４】
そのほか、図１に示すように、一方の上板３及び重合板４には、２個の指穴１１が形成され、他方の上板３には、指穴１１より幅の大きい２個の押込片１２が設けられている。この押込片１２には、先端側へかけて間隔が狭くなるＶ字状の折目１３が設けられている。
【００１５】
また、上板３の端部には、２個の押込片１２に挟まれた端部に摘み片１４が設けられ、押込片１２の基端から内側へ切込１５，１６が入れられている。底板１には、組立時に保持板６を起こすための補助穴１７が形成されている。
【００１６】
このようなブランクから組み立てられるマルチパックは、予め、保持板６及び折込板７を内側へ折り曲げて、折込板７を側板２に貼り付けると共に、重合板４を折り曲げて一方の上板３の裏面に貼り付けておき、この扁平な状態で販売店へ輸送して、保管しておく。
【００１７】
そして、販売店で缶を包装する際には、図３に示すように、底板１に缶Ｃを載せて側板２及び上板３を巻き込むように折り曲げ、これに伴い保持板６を起立させる。このとき、この戻止片１０が起立途中の両側板２に当接し、両側板２及び保持板６をやや起立した状態に保持しておくことができるので、６本の缶Ｃを容易に底板１に載せることができる。
【００１８】
その後、図４に示すように、両側板２が直立した状態で、一方の上板３に他方の上板３を重ね合わせ、押込片１２をＶ字状の折目１３沿いに屈曲させつつ指穴１１に押し込んで、上板３同士を係合させる。
【００１９】
このように６本の缶Ｃを包装すると、保持板６の両端部が缶Ｃの外周に沿うように折れ曲がり、６本の缶Ｃが保持板６で締め付けられるように抱持されて、堅固に包装される。
【００２０】
このため、缶飲料の購入者がマルチパックを掴んで持ち運ぶ際、マルチパックを前後に振ったり、捻るように回したりしても、缶Ｃが端面の開口部から飛び出すことがなく、また、上板３同士が強固に係合しているので、不意に包装が解ける現象が防止され、確実に包装された状態で持ち帰ることができる。
【００２１】
そして、このマルチパックから缶Ｃを取り出す際には、図５に示すように、摘み片１４を引き上げて、押込片１２の基部で上板３を切断し、上板３同士の係合を解除して、マルチパックを解体する。
【００２２】
このとき、上板３の裂目が押込片１２の基部から内側へ逸れようとするが、裂目が切込１５，１６に順次到達して連続するので、途中で千切れることなく上板３を切断することができ、開封に手間取ることがない。
【００２３】
【発明の効果】
以上のように、この発明に係る紙製マルチパックは、扁平な状態から簡単に組み立てて缶等の円筒容器を包装することができ、包装状態では、保持板が円筒容器をその外周に沿って締め付けるように抱持するので、持ち運び時に円筒容器が端面の開口部から飛び出すことがなく、確実に包装された状態で円筒容器を持ち運ぶことができる。
【図面の簡単な説明】
【図１】この発明に係る紙製マルチパックの実施形態のブランクを示す図
【図２】同上の一部拡大図
【図３】同上の組立過程を示す斜視図
【図４】同上の包装状態を示す斜視図
【図５】同上の開封過程を示す上部拡大斜視図
【図６】従来のマルチパックを示す斜視図
【符号の説明】
１  底板
２  側板
３  上板
６  保持板
７  折込板
８  隅折線
９  沿折線
１０  戻止片
１１  指穴
１２  押込片
【図１】
2004149183.tif 000003
【図２】
2004149183.tif 000004
【図３】
2004149183.tif 000005
【図４】
2004149183.tif 000006
【図５】
2004149183.tif 000007
【図６】
2004149183.tif 000008